(57)【要約】【課題】開閉動作態様が異なる扉に対しても、各々に対応する別途専用のものに組み替えることなく、同じラッチング錠前装置を組み込んで使用可能とし、扉内に埋設状態にあるワイヤーの張り具合を簡単に調整可能とする。【解決手段】テーパ面１９ａを有するラッチ１９を固定筒１５内に上向きの突出方向へばね付勢してラッチ突出口１４から出没自在に設けるロック手段ｒ１と、ラッチとの間を扉の取手位置に埋設した連結リング３５を介してワイヤー２５にて連結した回動操作レバー３０を有するロック解除手段ｒ２とを備えたラッチング錠前装置Ｒにおいて、ロック手段は、ラッチの断面形状に合わせて角パイプ状をなし、固定筒に出し入れ自在に嵌着してラッチとそれを回転規制状態で嵌合する回り止め部材１８を備え、ラッチの下部と螺合するねじ部１６ｃを上端外周に設け、下端にワイヤーを連結し固定筒に対し上下動可能に貫挿する連結角棒１６を備える。【選択図】          図１
2005042506.tif 000002
【特許請求の範囲】
【請求項１】
頭部にテーパ面を有する断面多角形のラッチを、扉の上端部戸先側に埋設した固定筒内に上向きの突出方向へばね付勢してラッチ突出口から出没自在に設けるロック手段と、前記ラッチとの間を扉の取手位置に埋設した連結部材を介してワイヤーにて連結した回動操作部材を有するロック解除手段とを備え、扉を閉じるとき、前記ラッチのテーパ面が扉支持手段側に固定のストッパに当接すると、ばね付勢力に抗していったん引っ込んでから、再び突出して該ストッパと係合し扉の戻りを規制する一方、開くときは、前記回動操作部材を回動して前記ワイヤーを引き下げることにより前記ラッチを引っ込めて扉の戻り規制を解除するラッチング錠前装置において、
前記ロック手段は、
前記ラッチの断面形状に合わせて角パイプ状をなし、前記固定筒に出し入れ自在に嵌着して前記ラッチとそれを回転規制状態で嵌合する回り止め部材と、
前記ラッチの下部と螺合するねじ部を設ける一方、下端に前記ワイヤーを連結し、前記固定筒に対し上下動可能に貫挿する連結角棒と、
を備えることを特徴とする、ラッチング錠前装置。
【請求項２】
前記ロック手段に、前記固定筒上に回動可能に取り付けられ、常時はラッチ突出規制位置へばね付勢されたシャッタを備え、該シャッタは、それがラッチ突出規制位置にあるとき前記回り止め部材の前記ラッチ突出口に対しずれた位置で開口するガイド穴を有すると共に、扉の閉止時に、前記扉支持手段に当接して前記ガイド穴が前記ラッチ突出口と連通するラッチ突出規制解除位置で開口するように案内する位置決め突部を有してなることを特徴とする、請求項１に記載のラッチング錠前装置。
【発明の詳細な説明】
【技術分野】
【０００１】
本発明は、引戸・開き戸・折戸のような扉に取り付け、扉を閉めるとき、ラッチを突出させて扉の戻りを自動的にロックして施錠する一方、開くときはラッチを引っ込めて解錠するラッチング錠前装置に関する。
【背景技術】
【０００２】
この種のラッチング錠前装置は、たとえば図２１（Ａ１）・（Ａ２）では引戸に、同図（Ｂ１）（Ｂ２）では開き戸（又は折戸）に取り付けた従来例に示されるとおり、それぞれ扉１・２の上端部戸先側に固定筒３を埋設し、固定筒３内に、頭部に設けるテーパ面４ａ・４ｂを所定方向に向けた状態で、ラッチ４を上向きの突出方向へばね付勢して出没自在に設けている。一方、図示省略するが、扉１・２の取手位置には、ラッチ４を引っ込めるためのレバーやノブ等の回動操作部材を外付けし、この回動操作部材を、それと同軸に扉１・２に内設した連結部材を介してラッチ４とワイヤー５で連結した構成にしている。そして、扉１・２を閉じるとき、ラッチ４のテーパ面４ａ・４ｂが扉支持手段側に固定のストッパ６に当接すると、ラッチ４がテーパ面４ａ・４ｂに沿ってばね付勢力に抗しいったん引っ込んでから、鎖線で示すごとく再び突出してストッパ６に係合し、扉の戻りを規制して施錠する。開くときは、回動操作部材を回動してワイヤー５を引き下げることによりラッチ４を固定筒３内に引っ込めて解錠し、扉１・２の開位置への移動を可能にしている。
【発明の開示】
【発明が解決しようとする課題】
【０００３】
ところが、従来のラッチング錠前装置では、扉が引戸の場合に、それに組み込んで使用するときと、開き戸又は折戸の場合に、それに組み込んで使用するときとでは、開閉動作の態様が違う関係から、図示の通りラッチ４のテーパ面４ａ・４ｂの向きを違える必要があるため、ラッチ４が引戸対応の向きのものと、開き戸又は折戸対応の向きのものの２種類、専用のものをわざわざ製作する必要があった。
【０００４】
さらに、従来のラッチング錠前装置は、ラッチ４と、その回動操作部材間を結んで張設されるワイヤー５が扉の戸体に内設構造であるため、いったん組み込んでしまうと、その後にワイヤー５の弛みを取る必要が生じても、ワイヤー５のテンション度合いを調整することは極めて困難であった。そのため、ラッチ４を出没させるラッチング動作が不安定になり、その結果、扉の開閉操作に不具合が発生しやすいという課題があった。
【課題を解決するための手段】
【０００５】
そこで、上述した課題を解決すべく、請求項１に記載の発明は、たとえば以下に示す図示実施の形態のとおり、頭部にテーパ面１９ａを有する断面多角形のラッチ１９を、引戸Ａや折戸Ｂのような扉の上端部戸先側に埋設した固定筒１５内に上向きの突出方向へばね付勢してラッチ突出口１４から出没自在に設けるロック手段ｒ１・ｒ１´と、前記ラッチ１９との間を扉の取手位置に埋設した連結リング３５のような連結部材を介してワイヤー２５にて連結した回動操作レバー３０のような回動操作部材を有するロック解除手段ｒ２・ｒ２´とを備え、扉を閉じるとき、前記ラッチ１９のテーパ面１９ａがガイドレール１０のような扉支持手段側に固定のストッパ１３・１３´に当接すると、ばね付勢力に抗していったん引っ込んでから、再び突出して該ストッパ１３・１３´と係合し扉の戻りを規制する一方、開くときは、前記回動操作部材を回動して前記ワイヤー２５を引き下げることにより前記ラッチ１９を引っ込めて扉の戻り規制を解除するラッチング錠前装置Ｒ・Ｒ´において、前記ロック手段ｒ１・ｒ１´は、前記ラッチ１９の断面形状に合わせて角パイプ状をなし、前記固定筒１５に出し入れ自在に嵌着して前記ラッチ１９とそれを回転規制状態で嵌合する回り止め部材１８と、前記ラッチ１９の下部と螺合するねじ部１６ｃを設ける一方、下端に前記ワイヤー２５を連結し、前記固定筒１５に対し上下動可能に貫挿する連結角棒１６とを備えることを特徴とする。
【０００６】
請求項２に記載の発明は、請求項１に記載のラッチング錠前装置において、たとえば以下に示す図示実施の形態のとおり、前記ロック手段ｒ１´に、前記固定筒１５上に回動可能に取り付けられ、常時はラッチ突出規制位置へばね付勢されたシャッタ５０を備え、該シャッタ５０は、それがラッチ突出規制位置にあるとき前記回り止め部材１８の前記ラッチ突出口１４に対しずれた位置で開口するガイド穴５０ｃを有すると共に、扉の閉止時に、ガイドレール４０のような前記扉支持手段に当接して前記ガイド穴５０ｃが前記ラッチ突出口１４と連通するラッチ突出規制解除位置で開口するように案内する位置決め突部５０ｂを有してなることを特徴とする。
【発明の効果】
【０００７】
請求項１に記載のラッチング錠前装置によれば、（１）開閉動作態様が異なる扉に組み込むときは、扉の開閉動作態様に応じて、ラッチの向きを変え、テーパ面が扉支持手段に固定のストッパに対抗する向きに合わせて、ラッチをラッチ突出口から固定筒内に挿設するだけでよいため、引戸と開き戸又は折戸との間のように開閉動作態様が異なる扉に対しても、各々に対応する別途専用のものを製作し、これに組み替える必要なく、同じラッチング錠前装置をそのまま組み込んで使用することができ、その結果、別途専用装置を製造する必要性をなくすと共に、飛躍的にコストを低減させることができる。また、（２）扉に組み込んだ場合に、ワイヤーが連結角棒と連結部材間で十分に張り渡されず弛んだ状態にあったり、反対に必要以上に強い張り渡し状態にあったりするときは、回り止め部材を固定筒から抜き出してラッチ回転規制を解除してから、外部からラッチを連結角棒に対しねじ回して捩込み量を調節することによって、簡単にワイヤーの張り具合を調整することができるので、ラッチを出没させるラッチング動作を常に安定させることができる。また、同様の操作によってラッチをねじ回して捩込み量を調節することによって、ラッチのテーパ面のストッパに対する当接高さ位置を簡単に微調整することもできるので、扉の開閉時に、ラッチのテーパ面をストッパに常に適正位置で当接させことができ、これによっても、ラッチング動作を安定させることができる。以上の結果、不具合なく常にスムーズな扉の開閉動作が得られるという利点がある。
【０００８】
請求項２に記載のラッチング錠前装置によれば、ラッチのラッチング動作が必要な施解錠時以外の作動時は、シャッタをガイド穴がラッチ突出口に対しずれた位置で開口するラッチ突出規制位置に付勢保持し、ラッチの突出をシャッタで規制し、これにより、突出したラッチが外部に露出した状態を必要最小限に止めて、ラッチ突出状態が原因で扉回りの見栄えが悪くなるのを防止して美観性を向上させることができる。また、突出したラッチが周辺の他部材に突き当たることを防ぐことができ、これにより、ラッチを含む本錠前装置の構造部品を保護し、また一方で、周辺他部材を損傷させることも防止することができる。
【発明を実施するための最良の形態】
【０００９】
以下、図面を参照しつつ、本発明の実施の形態について説明する。
【００１０】
本発明は、引戸と開き戸又は折戸との間のように開閉動作態様が異なる扉に対しても、各々に対応する別途専用のものに組み替えることなく、同じラッチング錠前装置をそのまま組み込んで使用するという目的を、ラッチの向きを変えるだけよい構成にすることによって実現した。また、扉内に埋設状態にあるワイヤーのテンション度合いを調整してラッチを出没させるラッチング動作を常に安定させるという目的も、外部からラッチを連結角棒に対しねじ回して捩込み量を簡単に調節するだけでよい構成にすることによって実現した。
【実施例１】
【００１１】
図１〜図３に、本発明によるラッチング錠前装置の一例を示し、図４および図５にラッチング錠前装置を組み込んで適用した引戸構造体を示す。
【００１２】
引戸構造体は、図４および図５に示すように、壁体の上部に固定した断面略Ｌ型のガイドレール１０の溝状走行路１０ａに一対の戸車１１・１２を転動自在に係合させて引戸Ａを吊持し、開閉方向Ｘにスライド自在に組み付けている。ガイドレール１０の下端面には、その戸先寄りの所定施解錠位置にＬ板状の金属製ストッパ１３を取り付け、その他片を垂下している。図示例の引戸Ａは木製で、矩形枠体内に空洞をもった戸体からなる。
【００１３】
この引戸Ａの戸先側に、全体符号Ｒで示すラッチング錠前装置を組み込む。ラッチング錠前装置Ｒは、上端部に組み込むロック手段ｒ１と、略中段高さ位置の取手位置に組み込むロック解除手段ｒ２を備える。
【００１４】
ロック手段ｒ１は、図１〜図３に示すように、固定筒１５と、固定筒１５に各々内設する、連結角棒１６とラッチ付勢ばね１７と回り止め部材１８とラッチ１９を備える。
【００１５】
固定筒１５は、たとえば樹脂で一体成形し、本体の円筒部２０上に、それと直交する向きに取付板部２１を設けてなる。円筒部２０は、取付板部２１寄りの上端側に、断面が変形矩形状の多角穴部２０ａを形成し、反対の図中下端に四角い挿通穴２０ｂをあけている。取付板部２１は、両端側にねじ挿通穴をもった長手鍔状で、中心に多角穴部２０ａが開口し、その開口を間に挟んで対称位置に勾配を有する取出し用凹み２１ａを設けている。連結角棒１６は、樹脂製で、軸本体１６ａを断面四角に形成し、その図中下端にワイヤー通し穴１６ｂを設ける一方、上端部外周に雄ねじを切ってねじ部１６ｃを形成している。ラッチ付勢ばね１７は、圧縮コイルばねからなる。
【００１６】
回り止め部材１８は、これも樹脂製で、ラッチ１９の断面形状に合わせて貫通型の角パイプ状をなし、図中上側開口にラッチ突出口１４を形成し、そのラッチ突出口１４を間に挟んで対称位置に、取出し用摘み片１８ａを突設してなる。ラッチ１９は、金属製で、本体が断面変形矩形状をなし、頭部にテーパ面１９ａを形成する一方、下部に、その端面から軸方向に、連結角棒１６のねじ部１６ｃと対応する雌ねじ穴１９ｂを穿設してなる。
【００１７】
一方、ロック解除手段ｒ２は、回動操作レバー（回動操作部材）３０と、その回動操作レバー３０の回動角度範囲を規制する規制円板３１と、取付円板３２と、レバー付勢ばね３３と、取付軸３４と、ワイヤー２５の連結リング（連結部材）３５と、引戸Ａの開閉状態を表示するオープナー３６を備える。
【００１８】
回動操作レバー３０は、本体取手部３０ａの一端に、取付軸３４と対応する角穴３０ｂを軸方向にあけた回転軸部３０ｃを突設している。規制円板３１は、片面に略９０度開いた扇形の凹みを設けて、そこにラッチ１９の上下動ストロークと対応させて回動操作レバー３０の回動角度範囲を規定する回動規制段部３１ａを形成している。取付円板３２は、金属板で、中心穴３２ａを間に挟んだ一側にばね差込み部３２ｂを、他側に一対のばね掛け部３２ｃを、板部の一部を切り起こして設けている。また、取付円板３２には、中心穴３２ａを間に挟んで両側にねじ挿通穴３２ｄを設けている。レバー付勢ばね３３は、自然状態で略く字状に開脚し、両端縁を外向きに曲げて引っ掛け部３３ａを形成してなる。取付軸３４は、断面四角形状の金属製角軸で、一段太径な中間環状部３４ａ近くの外周に沿ってばね掛け溝３４ｂを四角いリング状に形成している。
【００１９】
連結リング３５は、樹脂製でホイール形状をなし、回転中心に取付軸３４と対応する角穴を有する連結軸部３５ａを突設し、その連結軸部３５ａを間に挟んだ対称位置に周方向に円弧状の逃げ穴３５ｂを設けている。また、周縁を一部凸状に形成し、そこにワイヤー通し穴３５ｃを設けている。オープナー３６は、片面に、たとえば赤青の２色に色分けして引戸Ａの開閉状態を表示する着色部を有する固定板３７と、その着色部と対応する位置に扇形の切欠き窓を有する回転板３８とからなる。固定板３７には、内周に雌ねじ穴を有するスタッド３９を立てて固設する。回転板３８は、片面の回転中心に取付軸３４と対応する角穴を有する連結軸部３８ａ設け、その連結軸部３８ａを中心丸穴３７ａに嵌合して固定板３７に対し回転可能に重ねている。
【００２０】
そこで、ラッチング錠前装置Ｒにおいて、ロック手段ｒ１は、取出し用凹み２１ａに取出し用摘み片１８ａを嵌めて、回り止め部材１８を固定筒１５の多角穴部２０ａに出し入れ自在に嵌着する。一方、ラッチ１９の雌ねじ穴１９ｂに連結角棒１６のねじ部１６ｃを螺合して連結すると共に、その下端部にラッチ付勢ばね１７を巻装してから、連結角棒１６を、回り止め部材１８のラッチ突出口１４を通して固定筒１５内に挿入し、さらに角棒下端を挿通穴２０ｂから貫挿して突出させる。それから、突出した連結角棒１６のワイヤー通し穴１６ｂに、一端を通してワイヤー２５を連結する一方、他端をワイヤー通し穴３５ｃに通して連結リング３５を連結し、連結リング３５を吊り下げた状態にしてロック手段ｒ１を組み立てる。
【００２１】
そして、引戸Ａの上端面戸先寄りに予め穿設した組込み用縦穴（図示省略）に、連結リング３５を入れて垂れ下げながら、固定筒１５の円筒部２０を組込み用縦穴に嵌め付け、取付板部２１を引戸Ａの上端面にねじ止めして組み付ける。このとき、ワイヤー２５は、引戸Ａの空洞部内で吊り下げ状態の連結リング３５が、引戸Ａの取手位置に穿設した組込み用横穴（図示省略）から臨めるワイヤー長さになるように連結角棒１６と連結リング３５間で結ばれている。
【００２２】
一方、ロック解除手段ｒ２は、取付軸３４の一端軸部を、連結リング３５の連結軸部３５ａの角穴に嵌合し、逃げ穴３５ｂにスタッド３７を通しながらオープナー３６の連結軸部３８ａの角穴に嵌着し、これらオープナー側部品を組み立てる。それから、引戸一側のオープナー側で、組込み用横穴の周縁にオープナー３６を当てがった状態で、その他のオープナー側部品を組付用横穴内に配設する一方、取付軸３４の他端軸部を取付円板３２の中心穴３２ａに通し、引戸他側の操作側から、止めねじ４８をスタッド３９にねじ込んで、取付円板３２を引戸Ａの他側板面に固着すると共に、引戸Ａを間に挟んで取付円板３２とオープナー側部品を締着する。さらに、取付軸３４の他端軸部を、規制円板３１の中心穴に通し、回動操作レバー３０の回転軸部３０ｃの角穴３０ｂに嵌着して回動操作レバー３０を連結し、規制円板３１を取付円板３２にねじ４９で固定する。こうして、規制円板３１の回動規制段部３１ａの回動許容範囲内において、回動操作レバー３０を、取付軸３４を介して連結リング３５およびオープナー３６の回転板３８と、一体回動可能に連結してロック解除手段ｒ２を組み付ける。
【００２３】
したがって、ラッチング錠前装置Ｒでは、回動操作レバー３０を図中反時計の一方向に回動すると、連結リング３５の回転に従ってワイヤー２５が上昇し、固定筒１５内のラッチ付勢ばね１７の付勢力でラッチ１９が突出すると共に、オープナー３６の回転板３８も回転して引戸Ａの閉止状態を表示する。一方、回動操作レバー３０を図中時計の他方向に回動すると、連結リング３５の逆回転に従ってワイヤー２５がラッチ付勢ばね１７に抗して下降し、ラッチ１９が引っ込むと共に、オープナー３６の回転板３８も逆回転して引戸Ａの開状態を表示する。こうしてラッチ１９は、回動操作レバー３０の回動操作に応じて固定筒１５から突出する施錠位置と、引っ込む解錠位置とにラッチ突出口１４から出没自在に、回り止め部材１８を介して固定筒１５内で保持されている。
【００２４】
なお、ロック解除手段ｒ２は、取付円板３２において、図１中鎖線で示すように、レバー付勢ばね３３を、細長いＵ形に押し狭めて、両端の引っ掛け部３３ａをばね掛け部３２ｃに掛け止める一方、中間の屈曲部３３ｂをばね差込み部３２ｂに差し込んで、間に取付軸３４を挟持した状態でばね掛け溝３４ｂに掛止して装着している。これにより、回動操作レバー３０を往復回動させるときにバネ力によりクリック感が得られると共に、施錠位置に回動させたときと、反対の解錠位置に回動したときに、各々の施解錠位置にて回動操作レバー３０をバネ力で保持する構造にしている。
【００２５】
さて、ラッチング錠前装置Ｒを備えた引戸Ａを閉じるときは、予め、ロック解除手段ｒ２の回動操作レバー３０を、図４および図５に示すように施錠位置へ回動してラッチ１９を突出状態にする。そして、引戸Ａをガイドレール１０の案内で閉方向へスライドさせ、図６に示すように、ラッチ１９のテーパ面１９ａがストッパ１３に当接すると、テーパ面１９に沿ってラッチ１９がラッチ付勢ばね１７に抗していったん引っ込み、図７に示すようにストッパ１３を越えたところで再び突出し、ストッパ１３に係合して引戸Ａの戻りを規制し、引戸Ａを施錠する。そして、引戸Ａは、不図示の戸当りに当って閉止する。
【００２６】
その後、引戸Ａを開くときは、回動操作レバー３０を、図８に示すように解錠位置へ回動する。すると、前記連結リング３５の逆回転に従ってワイヤー２５が下降し、ラッチ１９を、ラッチ付勢ばね１７に抗して、図９および図１０に示すように固定筒１５内へ引っ込めて解錠し、引戸Ａの戻り規制を解除して開位置への移動を可能する。
【００２７】
ところで、上述した図示例では、ラッチング錠前装置Ｒを、開閉動作が直線運動の引戸Ａに組み込んで適用した場合であった。しかし、本発明は、開閉動作が回転運動を伴う開き戸又は折戸に対しても、これらに対応する別途専用のものに組み替えることなく、同じラッチング錠前装置Ｒを、以下のごとく、そのまま組み込んで使用することができる。
【００２８】
すなわち、ラッチング錠前装置Ｒを、そのまま開き戸又は折戸に組み込んで使用する場合は、ロック手段ｒ１の組み立て時に、上記引戸Ａの場合とはラッチ１９の向きを変え、即ち図１１に示すように、テーパ面１９ａが開き戸又は折戸の扉支持手段に固定のストッパ１３´と対抗する向きに合わせて、ラッチ１９を回り止め部材１８のラッチ突出口１４から固定筒１５内に挿設するだけでよい。
【００２９】
また、ラッチング錠前装置Ｒでは、引戸Ａや開き戸又は折戸に組み込んだ場合に、ワイヤー２５が、連結角棒１６と連結リング３５間で十分に張り渡されず弛んだ状態にあったり、反対に必要以上に強い張り渡し状態にあったりするときは、取出し用凹み２１ａから取出し用摘み片１８ａに指を掛けて、回り止め部材１８を固定筒１５から抜き出し、ラッチ１９の回転規制を解除する。そして、ラッチ１９を連結角棒１６に対しねじ回して捩込み量を調節することにより、ワイヤー２５の張り具合を調整する。これによって、ラッチ１９を出没させるラッチング動作を常に安定させることができる。また、同様の操作によってラッチ１９をねじ回して捩込み量を調節することにより、ラッチ１９におけるテーパ面１９ａのストッパ１３・１３´に対する当接高さ位置を微調整することもできる。これによって、扉の開閉時に、ラッチ１９のテーパ面１９ａをストッパ１３・１３´に常に適正位置で当接させることができ、その結果、同様にラッチング動作を安定させることができる。
【００３０】
なお、上述した図示例では、ロック解除手段ｒ２に、レバー付勢ばね３３を備え、回動操作レバー３０を施錠位置又は解錠位置に回動したときに、各々の位置でばね付勢して保持する構造にしたが、本発明では、斯かるレバー付勢ばねを備えない構成にしてもよい。その場合は、引戸Ａを閉じるときに、ラッチ１９が固定筒１５内のラッチ付勢ばね１７の付勢力の働きで、始めからラッチ突出口１４から突出状態にある。一方、開くときには、回動操作レバー３０を解錠位置へ回動してラッチ付勢ばね１７に抗してラッチ１９を固定筒１５内へ引っ込めて解錠し、ラッチ１９がストッパ１３・１３´を越えたところで、回動操作レバー３０から手を離せば、ラッチ付勢ばね１７の付勢力でラッチ１９を自動的に突出状態に復帰させることとができる。
【実施例２】
【００３１】
さて次に、本発明の他の実施例を説明する。図１２に、本発明による他例のラッチング錠前装置Ｒ´を組み込んで適用した折戸構造体を示す。
【００３２】
折戸構造体は、壁体の上部に固定したガイドレール４０の溝状走行路４１に、水平に軸支された戸車を転動自在に係合し、折戸Ｂを開閉方向に開閉自在に組み付けている。折戸Ｂは、長短２枚の木製折戸パネル４２・４３を備え、その間を樹脂製の長尺なギヤヒンジ４４で連結して折り畳み自在な構造になっている。
【００３３】
この折戸Ｂには、戸先側の折戸パネル４２にラッチング錠前装置Ｒ´を組み込んでいる。ラッチング錠前装置Ｒ´は、折戸パネル４２の戸先寄りにおいて、上端部に組み込むロック手段ｒ１´と、取手位置に組み込むロック解除手段ｒ２´を備える。ロック手段ｒ１´は、図中符号４５で示す後述のシャッタ機構を備えるため、それに関連する構成部品ないし部位を除き、その他の構造は、実施例１のロック手段ｒ１と同一であるとする。また、ロック解除手段ｒ２´には、回動操作レバー３０を施錠位置又は解錠位置に付勢保持するレバー付勢ばね３３を備えない構造とする。従って、その他の構造は、前記ロック解除手段ｒ２と同一であるとする。よって、図示他例では、同一構造の部品ないし部位には、実施例１のものと同じ符号を付して以下に説明する。
【００３４】
ロック手段ｒ１´に備える固定筒１５は、図１３〜図１５でも示すように、取付板部２１の上板面側を、一部薄肉にして凹状の取付段部２１ｂを形成し、取付段部２１ｂの片側には、更に一段凹ませて環状のばね嵌込み凹部２１ｃを形成している。さらに、多角穴部２０ａの穴縁に回り止め部材１８の嵌付凹部２１ｄを設けている。回り止め部材１８は、ラッチ突出口１４の開口縁に、径方向外向きに伸びる突部１８ｂを設け、その突部１８ｂの開口側にシャッタ係合溝１８ｃを形成すると共に、下面に位置決め凸部１８ｄを設けている。そして、位置決め凸部１８ｄを固定筒１５の嵌付凹部２１ｄに嵌めて位置決めし、回り止め部材１８を円筒部２０の多角穴部２０ａに出し入れ自在に嵌着している。
【００３５】
シャッタ機構４５は、シャッタ５０と、ねじりコイルばねのシャッタ付勢ばね５１を備える。シャッタ５０は、Ｌ形の金属製プレートを用い、その基端側にピン小穴５０ａをあけ、屈曲した先端部を曲げ起こし、そこに位置決め突部５０ｂを形成している。また、位置決め突部５０ｂの横に円形のガイド穴５０ｃを設ける一方、ピン小穴５０ｂの横で側縁にばね掛け用切欠き５０ｄを設けている。そして、シャッタ５０を、先端側を回り止め部材１８のシャッタ係合溝１８ｃに係合させて取付段部２１ｂ上に配置し、ピン小穴５０ａに支点ピン５２をワッシャ５３を介し取り付けて回動可能に組み付ける。また、シャッタ付勢ばね５１をばね嵌込み凹部２１ｃに嵌め込み、固定筒１５側にばね一端を掛け止める一方、ばね他端をばね掛け用切欠き５０ｄに掛け止めて、シャッタ５０を、図１４に示すように、ガイド穴５０ｃがラッチ突出口１４に対しずれた位置で開口するように付勢し、このラッチ突出規制位置で取付段部２１ｂの周壁に当てて保持している。従って、シャッタ５０がラッチ突出規制位置にあるときは、図１５に示すように、ラッチ１９の頭部がシャッタ５０に突き当たってラッチ突出口１４から突出するのを規制した構成になっている。
【００３６】
さて、ラッチング錠前装置Ｒ´を備えた折戸Ｂを閉じるときは、上述のようにシャッタ５０がラッチ突出規制位置にあり、ラッチ１９が始めからシャッタ５０に突き当てて引っ込み状態にある。そして、折戸Ｂをガイドレール４０の案内で閉方向へ引くと、図１６に示すように、両折戸パネル４２・４３が転回しながらスライドする。それから、更にスライドして折戸Ｂが閉止状態に近づいたとき、シャッタ５０の位置決め突部５０ｂがガイドレール４０の側壁４０ａに当たって押され、それに従って、シャッタ５は、ガイド穴５０ｃがラッチ突出口１４と連通するラッチ突出規制解除位置へとシャッタ付勢ばね５１に抗して回動する。すると、図１７および図１８に示すようにラッチ１９はラッチ突出口１４から突出するが、テーパ面１９ａがガイドレール４０の側壁４０ａに当接するため、テーパ面１９に沿ってラッチ１９はラッチ付勢ばね１７に抗していったん引っ込み、図１９に示すように側壁４０ａを越えたところで再び突出し、溝状走行路４１と係合して施錠し、折戸Ｂの開きを規制する。そして、図２０に示すように折戸Ｂは閉止する。
【００３７】
その後、折戸Ｂを開くときは、回動操作レバー３０を解錠位置へ回動する。すると、前記連結リング３５の回転に従ってワイヤー２５が下降し、ラッチ付勢ばね１７に抗してラッチ１９を固定筒１５内へ引っ込めて解錠し、いったん折戸Ｂの開き規制を解除して開動作を可能する。そして、解錠状態のまま折戸Ｂを開方向へ引くと、折戸パネル４２・４３がギヤヒンジ４４を介して折れ曲がりながら、ガイドレール４０に沿ってスライドし、折戸Ｂが次第に開き始める。この折戸Ｂの開放初期動作のとき、シャッタ機構４５では、折戸開動作に伴い、シャッタ５０の位置決め突部５０ｂがガイドレール４０の側壁４０ａから離隔し、シャッタ付勢ばね５１の付勢力で回動してラッチ突出規制位置へ復帰する。このとき、ラッチング錠前装置Ｒ´では、引っ込み状態のままラッチ１９がガイドレール４０の側壁４０ａを越えたところで、回動操作レバー３０から手を離すと、ラッチ付勢ばね１７の付勢力でラッチ１９が突出しようするが、ラッチ１９は、ラッチ突出規制位置にあるシャッタ５０に頭部が当たって突出を規制され、そのまま引っ込み状態を維持される。
【００３８】
よって、ラッチング錠前装置Ｒ´では、ラッチ１９のラッチング動作が必要な施解錠時以外の作動時は、ラッチ１９の突出をシャッタ５０で規制し、これにより、突出したラッチ１９が外部に露出した状態を必要最小限に止めて、ラッチ突出状態が原因で扉回りの見栄えが悪くなるのを防止して美観性を向上させることができる。また、突出したラッチが周辺の他部材に突き当たることを防ぐことができ、これにより、ラッチを含む本錠前装置の構造部品を保護し、また一方で、周辺他部材を損傷させることも防止することができる。
【００３９】
なお、図示他例では、上記シャッタ機構４５を折戸Ｂに組み込んで適用した例を示したが、開き戸や引戸にも、同様に組み込んで適用することができる。
【産業上の利用可能性】
【００４０】
本発明は、扉手段のほか、回動操作部材とラッチとをワイヤーで連結し、回動操作部材の回動操作に応じてラッチを出没させ施解錠することが不可欠な開閉手段など、他の用途に広く適用することができる。
【図面の簡単な説明】
【００４１】
【図１】ラッチング錠前装置の分解斜視図である。（実施例１）
【図２】ラッチング錠前装置の組立斜視図である。
【図３】（Ａ）はラッチング錠前装置に備えるロック手段を示す平面図、（Ｂ）は縦断面図である。
【図４】ラッチング錠前装置を組み込んだ引戸構造体を示す斜視図である。
【図５】引戸構造体を示す正面図である。
【図６】引戸構造体をラッチンジ動作時において示す正面図である。
【図７】引戸構造体を施錠後の状態において示す正面図である。
【図８】引戸構造体を解錠後の状態において示す正面図である。
【図９】解錠状態のラッチング錠前装置を示す斜視図である。
【図１０】解錠状態のラッチング錠前装置のロック手段を示す縦断面図である。
【図１１】（Ａ）は開き戸又は折戸に組み込んで適用したラッチング錠前装置のロック手段を示す縦断面図、（Ｂ）はロック手段を端面側から見て示す縦断面図である。
【図１２】シャッタ機構を備えた他のラッチング錠前装置を組み込んだ折戸構造体を示す斜視図である。（実施例２）
【図１３】他のラッチング錠前装置の分解斜視図である。
【図１４】他のラッチング錠前装置の組立斜視図である。
【図１５】他のラッチング錠前装置に備えるロック手段を示す断面図である。
【図１６】折戸構造体を半開き状態で示す斜視図である。
【図１７】施錠状態のラッチング錠前装置を示す斜視図である。
【図１８】施錠状態のラッチング錠前装置を示す縦断面図である
【図１９】折戸構造体をラッチで施錠した状態において示す端面図である。
【図２０】折戸構造体を閉止状態において示す斜視図である。
【図２１】従来のラッチング錠前装置に備えるロック手段で、（Ａ１）は引戸に適用したロック手段の縦断面図、（Ａ２）はロック手段を端面側から見て示す縦断面図、（Ｂ１）開き戸又は折戸に適用したロック手段の縦断面図、（Ｂ２）はロック手段を端面側から見て示す縦断面図である。
【符号の説明】
【００４２】
Ａ            引戸
Ｂ            折戸
Ｒ・Ｒ´      ラッチング錠前手段
ｒ１・ｒ１´  ロック手段
ｒ２・ｒ２´  ロック解除手段
１０・４０    ガイドレール（扉支持手段）
１３・１３´  ストッパ
１５          固定筒
１６          連結角棒
１６ｃ        ねじ部
１８          回り止め部材
２５          ワイヤー
３０          回動操作レバー（回動操作部材）
３５          連結リング（連結部材）
５０          シャッタ
５０ｂ        位置決め突部
５０ｃ        ガイド穴
【図１】
2005042506.tif 000003
【図２】
2005042506.tif 000004
【図３】
2005042506.tif 000005
【図４】
2005042506.tif 000006
【図５】
2005042506.tif 000007
【図６】
2005042506.tif 000008
【図７】
2005042506.tif 000009
【図８】
2005042506.tif 000010
【図９】
2005042506.tif 000011
【図１０】
2005042506.tif 000012
【図１１】
2005042506.tif 000013
【図１２】
2005042506.tif 000014
【図１３】
2005042506.tif 000015
【図１４】
2005042506.tif 000016
【図１５】
2005042506.tif 000017
【図１６】
2005042506.tif 000018
【図１７】
2005042506.tif 000019
【図１８】
2005042506.tif 000020
【図１９】
2005042506.tif 000021
【図２０】
2005042506.tif 000022
【図２１】
2005042506.tif 000023